(57)【要約】      （修正有）【課題】ＱＲコード（登録商標）を表示させる機能及び紙幣を識別する機能を有するキャシュレス決済機を提供する。【解決手段】紙幣識別装置１を備えるキャシュレス決済機１００は、紙幣識別装置１の装置本体３よりも前方に設けられるとともに、ＱＲコードを表示させる表示部２１を有する筐体２と、装置本体３の正面に筐体２よりも下方に位置するように設けられる紙幣挿入口５と、を備え、紙幣挿入口５は、表示部２１よりも後方に設けられている。【選択図】図３
2019125143.tif 000002
【特許請求の範囲】
【請求項１】
紙幣識別装置を備えるキャシュレス決済機であって、
前記紙幣識別装置の装置本体よりも前方に設けられるとともに、ＱＲコードを表示させる表示部を有する筐体と、
前記装置本体の正面に前記筐体よりも下方に位置するように設けられる紙幣挿入口と、を備える
ことを特徴とするキャシュレス決済機。
【請求項２】
前記紙幣挿入口は、前記表示部よりも後方に設けられている
ことを特徴とする請求項１に記載のキャシュレス決済機。
【請求項３】
前記筐体は、カーブ状に設けられた底壁を有する
ことを特徴とする請求項２に記載のキャシュレス決済機。
【請求項４】
前記装置本体は、複数の搬送用ローラが設けられるとともに、前記紙幣挿入口から挿入された紙幣を内部へ搬送する紙幣搬送手段を有し、
前記筐体は、ＱＲコードを前記表示部に表示させるための基板を有し、
前記基板は、少なくとも一部が、上下方向に沿って、前記基板に隣接する前記搬送用ローラと重なるように、設けられている
ことを特徴とする請求項２又は３に記載のキャシュレス決済機。
【請求項５】
前記筐体は、その頂壁が、正面視で、手前に向かうに従って下っていく傾斜面を有する
ことを特徴とする請求項１から４までのいずれか１項に記載のキャシュレス決済機。
【請求項６】
前記筐体の頂壁と前記紙幣識別装置の頂壁との継ぎ目に対向するとともに、前記継ぎ目の延在方向に沿って延在するように設けられた水ガイド溝を備え、
前記水ガイド溝は、その端部の下方に前記基板が位置しないように、設けられている
ことを特徴とする請求項１から５までのいずれか１項に記載のキャシュレス決済機。
【請求項７】
前記筐体の底壁と前記紙幣識別装置の底壁との間には、排水孔が設けられ、
前記排水孔は、左右方向に沿って、前記紙幣挿入口と重ならないように、配置されている
ことを特徴とする請求項６に記載のキャシュレス決済機。
【請求項８】
サービス機器本体と、請求項１から７までのいずれか１項に記載のキャシュレス決済機と、を備えるサービス機器であって、
一端が前記基板に接続される筐体側ケーブルと、
一端が前記装置本体に接続される装置本体側ケーブルと、を備え、
前記筐体側ケーブルの他端及び前記装置本体側ケーブルの他端が、前記サービス機器本体に接続されている
ことを特徴とするサービス機器。
【発明の詳細な説明】
【技術分野】
【０００１】
本発明は、紙幣又は硬貨などの現金を使用しなくても、利用者の銀行口座又はクレジットカード会社の口座などからサービスの対価を差し引き決済処理が可能なキャシュレス決済機及びこれを備えるサービス機器に関するものである。
【背景技術】
【０００２】
従来、紙幣を取り扱う自動販売機のようなサービス機器などの機器本体に搭載され、投入された紙幣の真偽を識別し、真券と判定された紙幣のみを受け入れるようにしたものであって、紙幣挿入口から挿入された紙幣を内部へ搬送するための紙幣搬送路と、搬送路において挿入された紙幣の真偽を識別する紙幣識別部と、紙幣識別部で真券と判断された紙幣を収納する紙幣収納部と、を備える紙幣識別装置が知られている（特許文献１参照）。
【０００３】
特許文献１に記載された、自動販売機に搭載される紙幣識別装置は、紙幣による決済に対応するものであるが、携帯端末のＱＲコード（登録商標）（マトリックス型二次元コード）の読み込みによるキャシュレス決済に対応するものではない。
【先行技術文献】
【特許文献】
【０００４】
【特許文献１】特開２００４−１３９１８９号公報
【発明の概要】
【発明が解決しようとする課題】
【０００５】
ところが、近年、紙幣識別装置には、紙幣による決済に対応する機能だけではなく、携帯端末のＱＲコードの読み込みによるキャシュレス決済に対応する機能も要求されている。
【０００６】
そこで、本発明は、このような事情に鑑みてなされたものであり、ＱＲコードを表示させる機能及び紙幣を識別する機能を有するキャシュレス決済機及びこのようなキャシュレス決済機を備えるサービス機器を提供することを目的とする。
【課題を解決するための手段】
【０００７】
上記目的を達成するために、以下の構成によって把握される。
（１）本発明に係るキャシュレス決済機は、紙幣識別装置を備えるものであって、前記紙幣識別装置の装置本体よりも前方に設けられるとともに、ＱＲコードを表示させる表示部を有する筐体と、前記装置本体の正面に前記筐体よりも下方に位置するように設けられる紙幣挿入口と、を備えることを特徴とする。
（２）上記（１）の構成において、前記紙幣挿入口は、前記表示部よりも後方に設けられてもよい。
（３）上記（２）の構成において、前記筐体は、カーブ状に設けられた底壁を有してもよい。
（４）上記（２）又は（３）の構成において、前記装置本体は、複数の搬送用ローラが設けられるとともに、前記紙幣挿入口から挿入された紙幣を内部へ搬送する紙幣搬送手段を有し、前記筐体は、ＱＲコードを前記表示部に表示させるための基板を有し、前記基板は、少なくとも一部が、上下方向に沿って、前記基板に隣接する前記搬送用ローラと重なるように、設けられてもよい。
（５）上記（１）から（４）までのいずれか一つの構成において、前記筐体は、その頂壁が、正面視で、手前に向かうに従って下っていく傾斜面を有してもよい。
（６）上記（１）から（５）までのいずれか一つの構成において、前記筐体の頂壁と前記紙幣識別装置の頂壁との継ぎ目に対向するとともに、前記継ぎ目の延在方向に沿って延在するように設けられた水ガイド溝を備え、前記水ガイド溝は、その端部の下方に前記基板が位置しないように、設けられてもよい。
（７）上記（６）の構成において、前記筐体の底壁と前記紙幣識別装置の底壁との間には、排水孔が設けられ、前記排水孔は、左右方向に沿って、前記紙幣挿入口と重ならないように、配置されてもよい。
（８）本発明に係るサービス機器は、サービス機器本体と、上記（１）から（７）までのいずれか一つのキャシュレス決済機と、を備えるものであって、一端が前記基板に接続される筐体側ケーブルと、一端が前記装置本体に接続される装置本体側ケーブルと、を備え、前記筐体側ケーブルの他端及び前記装置本体側ケーブルの他端が、前記サービス機器本体に接続されていることを特徴とする。
【発明の効果】
【０００８】
本発明によれば、ＱＲコードを表示させる機能及び紙幣を識別する機能を有するキャシュレス決済機及びこのようなキャシュレス決済機を備えるサービス機器を提供できる。
【図面の簡単な説明】
【０００９】
【図１】本発明の実施形態に係るキャシュレス決済機を備えるサービス機器の概略側面図である。
【図２】本発明の実施形態に係るキャシュレス決済機の斜視図である。
【図３】本発明の実施形態に係るキャシュレス決済機の分解斜視図である。
【図４】本発明の実施形態に係るキャシュレス決済機の正面図である。
【図５】図４のＩ−Ｉ線に沿う断面図である。
【図６】筐体に設けられた水ガイド溝を示す概略図である。
【発明を実施するための形態】
【００１０】
（実施形態）
以下、図面を参照して本発明を実施するための形態（以下、実施形態）について詳細に説明する。なお、実施形態の説明の全体を通して同じ要素には同じ符号が付される。
【００１１】
図１は、本発明の実施形態に係るキャシュレス決済機１００を備えるサービス機器２００の概略側面図である。図２は、本発明の実施形態に係るキャシュレス決済機１００の斜視図である。図３は、本発明の実施形態に係るキャシュレス決済機１００の分解斜視図である。図４は、本発明の実施形態に係るキャシュレス決済機１００の正面図である。なお、図１から図３において、Ｘ軸に沿って延在するＸ方向を左右方向とし、Ｙ軸に沿って延在するＹ方向を前後方向とし、Ｚ軸に沿って延在するＺ方向を上下方向とする。
【００１２】
［サービス機器の全体構成］
図１に示すように、本実施形態のサービス機器２００は、例えば、自動販売機などのものであり、紙幣による決済に対応する機能及び携帯端末のＱＲコードの読み込みによるキャシュレス決済に対応する機能の両方を有するキャシュレス決済機１００と、キャシュレス決済機１００の決済によって所定のサービスを提供するサービス機器本体３００と、を備えている。
【００１３】
［キャシュレス決済機の全体構成］
図１から図４に示すように、本実施形態のキャシュレス決済機１００は、挿入された紙幣の真偽を識別し、真券と判定された紙幣のみを受け入れる紙幣識別装置１と、紙幣識別装置１よりも前方に設けられる筐体２と、を備えている。
【００１４】
［紙幣識別装置］
紙幣識別装置１は、紙幣を識別する機能を有するものであり、正面の下方に開口部３１を有する装置本体３と、装置本体３の正面に開口部３１の全周を覆うように設けられた枠体４と、を備えている。
【００１５】
［装置本体］
図５は、図４のＩ−Ｉ線に沿う断面図である。
図１から図５に示すように、装置本体３の正面には、外部から紙幣を挿入するための紙幣挿入口５が設けられており、装置本体３の上方には、紙幣を収納するための紙幣収納部６が設けられており、装置本体３の側面には、後述する筐体側ケーブル２３１が嵌合可能な溝３２及び装置本体側ケーブル３４が貫通可能な貫通孔３３が形成されている。
【００１６】
装置本体側ケーブル３４は、その一端が装置本体３に接続されるとともに、その他端がサービス機器本体３００に接続されており、サービス機器本体３００から装置本体３側に電源を供給するための電源供給用ケーブルやサービス機器本体３００から装置本体３側に指令を送信するための指令送信用ケーブルなどを含むことができる。
【００１７】
さらに、紙幣挿入口５と紙幣収納部６との間には、紙幣挿入口５から挿入された紙幣を紙幣収納部６に搬送するための略Ｌ字型の紙幣搬送通路７が設けられており、この紙幣搬送通路７には、挿入された紙幣の真偽を判定するための紙幣判別用センサ８が取り付けられている。
【００１８】
紙幣挿入口５は、断面視で装置本体３の開口部３１から露出するとともに、左右方向に沿って延在するように設けられるものであり、その左右方向の幅が紙幣の幅方向に対応するようになっている。
【００１９】
紙幣収納部６は、ボックス形状のものであり、一端が紙幣収納部６の背面壁に取り付けられる複数のコイルばね６１と、前後方向に沿って移動可能に、コイルばね６１の他端によって上下方向に延在するように支持されるスタッカプレート６２と、を備えている。そして、紙幣挿入口５から挿入された紙幣は、紙幣搬送通路７を経由して、その長手方向が上下方向に沿うように、紙幣収納部６の正面壁とスタッカプレート６２との間に形成された収納空間に収納される状態となっている。
【００２０】
紙幣搬送通路７には、紙幣挿入口５から挿入された紙幣を紙幣収納部６（内部）へ搬送するための紙幣搬送手段として、紙幣搬送通路７に沿って延在する紙幣搬送用ベルト（図示しない）と、この紙幣搬送用ベルトを駆動するための駆動用モータ（図示しない）の回転を紙幣搬送用ベルトに伝達する複数の駆動搬送用ローラ７１，７２と、駆動搬送用ローラ７１，７２に対向するように紙幣搬送用ベルトに圧接する複数の従動搬送用ローラ７３，７４とが配置されている。
【００２１】
そして、駆動搬送用ローラ７１及び従動搬送用ローラ７３は、紙幣挿入口５に近接する箇所に位置するように、駆動搬送用ローラ７２及び従動搬送用ローラ７４よりも紙幣搬送通路７の上流側に配置されている。具体的には、駆動搬送用ローラ７１及び従動搬送用ローラ７３は、断面視で装置本体３の開口部３１から露出するように、駆動搬送用ローラ７２及び従動搬送用ローラ７４よりも紙幣搬送通路７の上流側に配置されている。一方、駆動搬送用ローラ７２及び従動搬送用ローラ７４は、紙幣収納部６に近接するように、駆動搬送用ローラ７１及び従動搬送用ローラ７３よりも紙幣搬送通路７の下流側に配置されている。
【００２２】
［枠体］
枠体４は、正面側及び背面側のいずれも開口するとともに、断面視で開口部３１から露出する紙幣挿入口５、駆動搬送用ローラ７１及び従動搬送用ローラ７３などの装置本体３側の部材を覆う筒部材である。また、本実施形態では、枠体４は、複数のねじなどによって、装置本体３の正面に取り付けられているが、これに限定されるものではなく、例えば、爪嵌合などによって装置本体３の正面に取り付けられてもよい。紙幣挿入口５の先端部は、枠体４が装置本体３の正面に取り付けられた状態で、断面視で枠体４の正面側の開口から露出することになっている。
【００２３】
また、枠体４は、ねじなどによって、筐体２と連結されている。枠体４の周壁内側には、筐体側ケーブル２３１を枠体４の正面側から溝３２へガイドするケーブルガイド部（図示しない）が設けられている。このようなケーブルガイド部によれば、枠体４に覆われる装置本体３側の部材との干渉が生じることなく、筐体側ケーブル２３１を筐体２側から溝３２へスムーズにガイドすることができる。
【００２４】
そして、図１に示すように、キャシュレス決済機１００の筐体２及び紙幣挿入口５は、サービス機器本体３００のスペースが限られた開口から突出している。
【００２５】
［筐体］
つぎに、筐体２の詳細について、図１から図６を参照しつつ説明する。図６は、筐体２に設けられた水ガイド溝２７を示す概略図である。
【００２６】
図１から図６に示すように、筐体２は、キャシュレス決済用のＱＲコードを表示させる機能を有するものであり、その全体が紙幣挿入口５よりも上方に位置するように、枠体４を介して装置本体３の正面に設けられるものである。言い換えると、紙幣挿入口５は、装置本体３の正面に筐体２よりも下方に位置するように設けられている。
【００２７】
また、筐体２は、キャシュレス決済用のＱＲコードを表示させる表示部２１と、特定のキャシュレス決済用のＱＲコードを選択決定する選択操作部２２と、キャシュレス決済用のＱＲコードを表示部２１に表示させる複数の基板２３と、を備えている。なお、筐体２の枠体４に対向する背面側には、ねじと螺合するため複数のねじ孔２８が設けられている。
【００２８】
表示部２１は、例えば、液晶ディスプレイや有機ＥＬディスプレイなどによって構成されるものであり、筐体２の正面２４に取り付けられているため、紙幣挿入口５よりも前方に位置している。言い換えると、紙幣挿入口５は、表示部２１よりも後方に設けられている。
【００２９】
本実施形態では、選択操作部２２は、表示部２１よりも下方に位置するように筐体２の正面２４に設けられているが、これに限定されるものではなく、例えば、筐体２の頂壁２５に設けられてもよい。この場合、筐体２の正面２４に設けられる選択操作部２２に比べ、筐体２の正面２４に取り付けられる表示部２１をより大きくすることができる。なお、選択操作部２２は、必ずしも設けなくてもよく、この場合、選択決定などの操作は、タッチパネルによって、実現される。
【００３０】
基板２３は、各キャシュレス決済のサービサーに対応するＱＲコードを表示部２１に表示させるものであり、前後方向と直交する方向に沿って延在するように、表示部２１よりも後方に設けられている。また、隣接する基板２３同士の間には、所定の間隔が形成されてもよい。
【００３１】
そして、本実施形態では、基板２３は、少なくとも一部が、上下方向に沿って、基板２３に隣接する駆動搬送用ローラ７１と重なるように、設けられているが、これに限定されるものではなく、例えば、少なくとも一部が、上下方向に沿って、基板２３に隣接する従動搬送用ローラ７３と重なるように、設けられてもよく、この場合、駆動搬送用ローラ７１と従動搬送用ローラ７３との位置関係が逆になっている。
【００３２】
基板２３には、筐体側ケーブル２３１の一端が接続されており、筐体側ケーブル２３１の他端は、サービス機器本体３００に直接接続されている。すなわち、筐体２は、筐体側ケーブル２３１によって、紙幣識別装置１を経由することなく、サービス機器本体３００に接続されている。なお、この筐体側ケーブル２３１は、サービス機器本体３００から基板２３に電源を供給するための電源供給用ケーブルやサービス機器本体３００から基板２３に指令を送信するための指令送信用ケーブルなどを含むことができる。
【００３３】
また、筐体２は、利用者の手にて押し付けられた紙幣を紙幣挿入口５へガイドするようにカーブ状に設けられた底壁２６を有している。なお、本実施形態では、筐体２の頂壁２５は、正面視で、手前に向かうに従って下っていく傾斜面２５１を有している。
【００３４】
そして、図５及び図６に示すように、筐体２には、筐体２の頂壁２５と枠体４の頂壁との継ぎ目Ｓに対向するとともに、継ぎ目Ｓの延在方向（左右方向）に沿って延在するように水ガイド溝２７が設けられている。また、この水ガイド溝２７は、その端部の下方に基板２３が位置しないように、設けられている。詳細には、この水ガイド溝２７は、基板２３よりも後方に設けられている。なお、本実施形態では、水ガイド溝２７は、筐体２側に取り付けられているが、これに限定されるものではなく、例えば、枠体４側に取り付けられてもよい。
【００３５】
さらに、筐体２の底壁２６と枠体４の底壁との間には、水ガイド溝２７の端部から垂れ落ちた水をキャシュレス決済機１００の外部へ排出する一対の排水孔（図示しない）が設けられている。一対の排水孔は、左右方向に沿って、紙幣挿入口５と重ならないように、紙幣挿入口５よりも外側に配置されている。すなわち、一対の排水孔の間には、紙幣挿入口５が配置されている。なお、一対の排水孔は、水ガイド溝２７の両端部の直下に位置することが好ましい。
【００３６】
［実施形態の効果］
このように構成される本実施形態のキャシュレス決済機１００によれば、紙幣識別装置１を備えるものであって、紙幣識別装置１の装置本体３よりも前方に設けられるとともに、ＱＲコードを表示させる表示部２１を有する筐体２と、装置本体３の正面に筐体２よりも下方に位置するように設けられる紙幣挿入口５と、を備えるので、ＱＲコードを表示させる機能及び紙幣を識別する機能を有するキャシュレス決済機１００を提供することができる。
【００３７】
また、筐体２が枠体４を介して装置本体３の正面に設けられるだけで、装置本体３の構造を変更することなく、表示部２１を紙幣挿入口５よりも前方に位置付けるので、キャシュレス決済機１００を備えるサービス機器２００が屋外に設置された場合、前方から降ってきた雨水が、表示部２１が備えられた筐体２によって遮られ、表示部２１と紙幣挿入口５とが前後方向において面一となるように設けられるものに比べ、雨水が紙幣挿入口５に浸入しにくくなるため、紙幣挿入口５への紙幣挿入がしやすくなっている。
【００３８】
そして、筐体２は、カーブ状に設けられた底壁２６を有するので、紙幣挿入口５への紙幣挿入がよりしやすくなっている。
【００３９】
くわえて、基板２３の少なくとも一部が、上下方向に沿って、基板２３に隣接する搬送用ローラと重なっているので、基板２３が、上下方向に沿って、基板２３に隣接する搬送用ローラと重ならないものに比べ、キャシュレス決済機１００の筐体２及び紙幣挿入口５の上下方向における寸法を小さくすることができ、これによって、筐体２及び紙幣挿入口５を、サービス機器本体３００のスペースが限られた開口から突出させることができる。
【００４０】
かつ、筐体２の頂壁２５は、正面視で、手前に向かうに従って下っていく傾斜面２５１を有するので、キャシュレス決済機１００を備えるサービス機器２００が屋外に設置された場合であっても、雨水などの水が頂壁２５の傾斜面２５１に沿って垂れ落ちることで、水が筐体２の頂壁２５と枠体４の頂壁との継ぎ目Ｓからキャシュレス決済機１００の内部へ浸入することを軽減することができる。
【００４１】
さらに、筐体２には、筐体２の頂壁２５と枠体４の頂壁との継ぎ目Ｓに対向するとともに、継ぎ目Ｓの延在方向に沿って延在するように水ガイド溝２７が設けられており、この水ガイド溝２７は、その端部の下方に基板２３が位置しないように、設けられているので、キャシュレス決済機１００を備えるサービス機器２００が屋外に設置された場合、雨水などの水が、筐体２の頂壁２５と枠体４の頂壁との継ぎ目Ｓからキャシュレス決済機１００の内部へ侵入したとしても、水ガイド溝２７によってガイドされることにより、筐体２と枠体４との間に別途パッキンを設けることなく、簡易な構造で、水と基板２３などの部材との接触を回避することができ、これによって、水と基板２３などの部材との接触による短絡を確実に防止することができる。
【００４２】
なお、筐体２の底壁２６と枠体４の底壁との間には、排水孔が設けられ、この排水孔は、左右方向に沿って、紙幣挿入口５と重ならないように、配置されているので、水ガイド溝２７の端部から垂れ落ちた水を、キャシュレス決済機１００の内部に貯めることなく、紙幣挿入口５と干渉しない箇所において、排水孔によってキャシュレス決済機１００の外部へ排出することができる。
【００４３】
一方、本実施形態のサービス機器２００によれば、サービス機器本体３００と、キャシュレス決済機１００と、を備えるものであって、一端が基板２３に接続される筐体側ケーブル２３１と、一端が装置本体３に接続される装置本体側ケーブル３４と、を備え、筐体側ケーブル２３１の他端及び装置本体側ケーブル３４の他端が、サービス機器本体３００に接続されているので、万が一、紙幣識別装置１に何らかの故障があったとしても、紙幣識別装置１の故障による影響を受けることなく、携帯端末のＱＲコードの読み込みによるキャシュレス決済を正常に行うことができる。
【００４４】
以上、本発明の好ましい実施形態について詳述したが、本発明に係るキャシュレス決済機１００及びこれを備えるサービス機器２００は、上述した実施形態に限定されるものではなく、特許請求の範囲に記載された本発明の要旨の範囲内において、種々の変形、変化が可能である。
【符号の説明】
【００４５】
１      紙幣識別装置
２      筐体
３      装置本体
４      枠体
５      紙幣挿入口
６      紙幣収納部
７      紙幣搬送通路
８      紙幣判別用センサ
２１    表示部
２２    選択操作部
２３    基板
２４    正面（筐体）
２５    頂壁（筐体）
２６    底壁（筐体）
２７    水ガイド溝
２８    ねじ孔
３１    開口部
３２    溝
３３    貫通孔
３４    装置本体側ケーブル
６１    コイルばね
６２    スタッカプレート
７１    駆動搬送用ローラ
７２    駆動搬送用ローラ
７３    従動搬送用ローラ
７４    従動搬送用ローラ
１００  キャシュレス決済機
２００  サービス機器
２３１  筐体側ケーブル
２５１  傾斜面
３００  サービス機器本体
Ｓ      継ぎ目
【図１】
2019125143.tif 000003
【図２】
2019125143.tif 000004
【図３】
2019125143.tif 000005
【図４】
2019125143.tif 000006
【図５】
2019125143.tif 000007
【図６】
2019125143.tif 000008